(57)【要約】【課題】  既存の建材に替えて設置するものであって、既存のアンカーボルトなどがあっても、容易に設置可能で十分な強度が得られる改修用建材を提供する。【解決手段】  固定部材は、取付材に接続するブラケットと、押圧具と、被取付材の取付材に対向する位置からずれた位置に突出させてあるボルトと、ナットを備え、押圧具は、ボルトの径と略同径のボルト孔を有し、ブラケット側の面に係合部を形成してあり、ブラケットは、押圧具のボルト孔より大きく押圧具より小さい挿通孔を有し、押圧具側の面に被係合部を形成してあり、係合部と被係合部は、ブラケットが挿通孔の範囲内で押圧具に対してずれても係合可能で、係合により相互の移動が規制され、挿通孔にボルトを通してブラケットを被取付材に当接させ、ボルト孔にボルトを通して押圧具をブラケットに当接させてあり、ナットをボルトに締結して押圧具によりブラケットを被取付材に押さえ付けて固定してある。【選択図】      図１
2018155049.tif 000002
【特許請求の範囲】
【請求項１】
取付材を被取付材に固定するための固定部材を備え、固定部材は、取付材に接続するブラケットと、ブラケットを被取付材に押さえ付ける押圧具と、被取付材の取付材に対向する位置からずれた位置に突出させてあるボルトと、ナットを備え、押圧具は、ボルトの径と略同径のボルト孔を有し、ブラケット側の面に係合部を形成してあり、ブラケットは、押圧具のボルト孔より大きく押圧具より小さい挿通孔を有し、押圧具側の面に被係合部を形成してあり、押圧具の係合部とブラケットの被係合部は、ブラケットが挿通孔の範囲内で押圧具に対してずれても係合可能であって、係合により相互の移動が規制されるものであり、挿通孔にボルトを通してブラケットを被取付材に当接させ、ボルト孔にボルトを通して押圧具をブラケットに当接させてあり、ナットをボルトに締結することで、押圧具によりブラケットを被取付材に押さえ付けて固定してあることを特徴とする改修用建材。
【発明の詳細な説明】
【技術分野】
【０００１】
本発明は、既存の建材に替えて設置する改修用建材に関する。
【背景技術】
【０００２】
従来、集合住宅のベランダなどに設置される手摺において、特許文献１に示すように、取付材（ここでは、上枠と下枠の間に手摺子を並べて取り付けたもの）を、被取付材（ここでは、壁面）の取付材に対向する位置に埋め込んだアンカーボルトにより固定したものがあった。
【先行技術文献】
【特許文献】
【０００３】
【特許文献１】特開平１０−３３１４３９号公報
【発明の概要】
【発明が解決しようとする課題】
【０００４】
しかしながら、このような手摺の改修において、同じ構成の手摺に交換する場合、被取付材の取付材に対向する位置には既存のアンカーボルトが埋め込まれているため、これを回避するために特別の部材が必要となり、施工に手間や費用がかかる場合があった。また、既存のアンカーボルトを撤去することにより、被取付材の取付材に対向する位置が脆くなり、十分な強度が得られない場合もあった。さらに、壁面内部には元より鉄筋が埋め込まれており、これも回避しなければならなかった。
【０００５】
本発明は、上記事情を鑑みたものであり、既存の建材に替えて設置するものであって、既存のアンカーボルトや鉄筋などがあっても、容易に設置可能で十分な強度が得られる改修用建材を提供することを目的とする。
【課題を解決するための手段】
【０００６】
本発明は、取付材を被取付材に固定するための固定部材を備え、固定部材は、取付材に接続するブラケットと、ブラケットを被取付材に押さえ付ける押圧具と、被取付材の取付材に対向する位置からずれた位置に突出させてあるボルトと、ナットを備え、押圧具は、ボルトの径と略同径のボルト孔を有し、ブラケット側の面に係合部を形成してあり、ブラケットは、押圧具のボルト孔より大きく押圧具より小さい挿通孔を有し、押圧具側の面に被係合部を形成してあり、押圧具の係合部とブラケットの被係合部は、ブラケットが挿通孔の範囲内で押圧具に対してずれても係合可能であって、係合により相互の移動が規制されるものであり、挿通孔にボルトを通してブラケットを被取付材に当接させ、ボルト孔にボルトを通して押圧具をブラケットに当接させてあり、ナットをボルトに締結することで、押圧具によりブラケットを被取付材に押さえ付けて固定してあることを特徴とする。
【発明の効果】
【０００７】
本発明によれば、固定部材によって、取付材を、被取付材の取付材に対向する位置からずれた位置に固定するので、改修において既存のアンカーボルトなどが妨げになることはなく、施工に手間や費用がかからず、かつ十分な強度が得られる。また、押圧具の係合部とブラケットの被係合部が、ブラケットが挿通孔の範囲内で押圧具に対してずれても係合可能であるから、その範囲内で容易に位置調整ができ、被取付材内部の鉄筋などを回避できる。
【図面の簡単な説明】
【０００８】
【図１】改修手摺の左側の固定部材部分を示し、（ａ）は平面図、（ｂ）は側面図（右側視図）である。
【図２】改修手摺の左側の固定部材部分の分解斜視図である。
【図３】改修手摺の全体図であり、（ａ）は正面図、（ｂ）はＡ−Ａ線断面図、（ｃ）はＢ−Ｂ線断面図、（ｄ）はＣ−Ｃ線断面図である。
【図４】（ａ）〜（ｅ）は、固定部材による位置調整の説明図である。
【図５】ブラケットと外壁の間に挟むスペーサの説明図である。
【図６】改修手摺の右側の固定部材部分を示し、（ａ）は平面図、（ｂ）は側面図（内側視図）である。
【発明を実施するための形態】
【０００９】
以下、本発明の実施の形態を図面に基づいて説明する。この改修用建材は、種々の用途の建材を含み、種々の場所に設置可能なものであるが、ここでは集合住宅のベランダにおいて、既存の手摺に替えて設置した改修手摺の場合を例に挙げる。なお、以下において左右とは、図３（ａ）に示すように、この改修手摺を建物の外側から正面視した場合の左右を表す。
【００１０】
図３に示すように、この改修手摺は、手摺本体１０と、固定部材１ａ，１ｂを備える。手摺本体１０は、上枠１０１と下枠１０２と左右の縦枠１０３を四周組んで形成した枠体の内周側に、複数本の縦桟１０４を並べて取り付けたものである。そして、ベランダの外壁２０に形成した上側に開口する略コ字形の開口部に、手摺本体１０を納め、取付材である手摺本体１０の左右端部を、それぞれ上下２つの固定部材１ａ，１ｂにより、被取付材である外壁２０に固定してある。ただし、左側の固定部材１ａと右側の固定部材１ｂは、構成が異なっている。すなわち、開口部の左側において、外壁２０は見込方向（内外方向）に延びていて、固定部材１ａは外壁２０の右側（手摺本体１０側）の見込面に固定してあり、開口部の右側において、外壁２０は見付方向（左右方向）に延びていて、固定部材１ｂは外壁の内側（建物側）の見付面に固定してある。また、下枠１０２の左右方向中央には、その下側の躯体見込面との間に支持部材７を取り付けてある。支持部材７は、手摺本体１０を下側から支持するものであって、２つのＬ形金具を左右方向軸周りに回動自在に連結したものあり、躯体見込面の傾斜に対応するものとなっている。以下、左右の固定部材１ａ，１ｂの構成について、それぞれ詳述する。
【００１１】
まず、左側の固定部材１ａについて、図１及び図２に基づき説明する。左側の固定部材１ａは、押圧具３と、ブラケット２ａと、ボルト４と、ナット５を備える。
【００１２】
押圧具３は、内外方向に延びる垂直向きの矩形平板状のものであって、中央にボルト４の径と略同径（ボルト４を挿入しやすくするため、多少のクリアランスは設けてある）のボルト孔３１を有している。また、左側面（ブラケット２ａ側面）の全面に、上下方向に延び内外方向に多数連続する断面略三角波形状の凹凸からなる係合部３２を形成してある。
【００１３】
ブラケット２ａは、手摺本体１０に固定する手摺側部２３と、外壁２０に固定する外壁側部２４を有し、何れも内外方向に延び、外壁２０の右側（手摺本体１０側）の見込面に対向する垂直向きの板状部であるが、外壁側部２４の方が内外方向に長く、手摺側部２３の方が右側（手摺本体１０側）に位置しており、かつ手摺側部２３と外壁側部２４が内外方向にずれていて（手摺側部２３が外側、外壁側部２４が内側に位置する）、ブラケット２ａ全体で略Ｚ字形となっている。手摺側部２３は、右側面（手摺本体１０側面）の内外方向中央部に、上下方向に延びる断面凸形の嵌合部２５を形成してあり、左側面（外壁２０側面）の嵌合部２５の裏側位置に、上下方向に延びる断面凹形の溝状の係止部２６を形成してあって、係止部２６の底面の上下方向中央にボルト孔２７を形成してある。また、外壁側部２４は、内外方向及び上下方向の中央部に、略四角形で、押圧具３のボルト孔３１より大きく押圧具３より小さい挿通孔２１を有しており、右側面（押圧具３側面）に、上下方向に延び内外方向に多数連続する断面略三角波形状の凹凸からなる被係合部２２を形成してあり、左側面（外壁２０側面）に、上下に延びる断面凹形の溝部２８を形成してある。被係合部２２の断面形状は、押圧具３の係合部３２の断面形状と同じであって、係合して相互の内外方向の移動を規制するものである。そして、ブラケット２ａの被係合部２２は、押圧具３の係合部３２よりも広く、押圧具３に対してブラケット２ａが内外方向及び上下方向にずれても、ボルト孔３１が挿通孔２１の内周側に略納まる範囲内であれば、押圧具３の係合部３２の全体がブラケット２ａの被係合部２２に当接して係合する。また、溝部２８は、内外に２本形成してあり、それぞれ挿通孔２１の内側端部と外側端部に位置している。
【００１４】
ボルト４は、外壁２０に埋め込んであって、先端部が外壁２０の右側（手摺本体１０側）の見込面から突出するものである。図１に示すように、外壁２０の手摺本体１０に対向する位置には、既存の手摺の溶接下地金物Ｂやアンカーボルトなどの埋設物が埋め込まれており、そのまま新たなボルトを打ち込むことは難しく、また埋設物を撤去するとその部分が脆くなってしまい、そこに新たなボルトを打ち込んでも十分な強度が得られない。そこでボルト４は、外壁２０の、手摺本体１０に対向する位置から内側にずれた位置に設けてある。また、ナット５はこのボルト４に螺合するものである。
【００１５】
そして、このように構成した固定部材１ａにより、手摺本体１０の左側端部と外壁２０を固定してあり、その構造について詳述する。まず、手摺本体１０側について、手摺本体１０の左側の縦枠１０３の左側面（外壁２０側面）の内外方向中央部には、上下方向に延びる断面凹形の溝状の被嵌合部１３１を形成してあって、被嵌合部１３１の底面に縦枠１０３を左右方向に貫通するボルト孔１３２を形成してある。そして、ブラケット２ａの手摺側部２３の嵌合部２５を手摺本体１０の縦枠１０３の被嵌合部１３１に嵌合させ、縦枠１０３の右側から縦枠１０３のボルト孔１３２及び手摺側部２３のボルト孔２７にボルトを挿入し、手摺側部２３の係止部２６に挿入したナットに螺合させて、ブラケット２ａの手摺側部２３と手摺本体１０の縦枠１０３を固定してある。
【００１６】
また、外壁２０側について、挿通孔２１にボルト４を通してブラケット２ａの外壁側部２４を外壁２０の右側の見込面に当接させてあり、ボルト孔３１にボルト４を通して押圧具３をブラケット２ａの外壁側部２４に当接させてある。この際、押圧具３の係合部３２とブラケット２ａの被係合部２２が係合している。そして、ナット５をボルト４に締結することで、押圧具３によりブラケット２ａの外壁側部２４を外壁２０に押さえ付けて固定してある。こうして、内外方向にずれた手摺本体１０とボルト４に対して、それぞれブラケット２ａの手摺側部２３と外壁側部２４がボルト止めされて、固定部材１ａを介して手摺本体１０と外壁２０が固定される。
【００１７】
なお、押圧具３のボルト孔３１はボルト４の径と略同径であるから、ボルト４の位置に対して押圧具３の位置は略不変である。一方、ブラケット２ａの挿通孔２１は押圧具３のボルト孔３１よりも大きいので、ボルト４の位置（すなわち、押圧具３の位置）に対してブラケット２ａの位置は挿通孔２１の範囲内で上下方向及び内外方向に自在に動かせる。これにより、手摺本体１０の取付位置を、上下方向及び内外方向に調整することができる。図４に示すのは、位置調整の例であり、（ａ）は、ボルト４がブラケット２ａの挿通孔２１の中心に位置している場合であって、このときのブラケット２ａの位置を「中心位置」とする。（ｂ）は、ボルト４が挿通孔２１の上側に位置しており、ブラケット２ａは中心位置よりも下側に位置している。（ｃ）は、ボルト４が挿通孔２１の上外側に位置しており、ブラケット２ａは中心位置よりも下内側に位置している。（ｄ）は、ボルト４が挿通孔２１の下側に位置しており、ブラケット２ａは中心位置よりも上側に位置している。（ｅ）は、ボルト４が挿通孔２１の下内側に位置しており、ブラケット２ａは中心位置よりも上外側に位置している。そして、押圧具３の係合部３２よりもブラケット２ａの被係合部２２の方が広く、上記のように、ブラケット２ａが挿通孔２１の範囲内でボルト４（押圧具３）に対してどの方向にずれた場合であっても、押圧具３がブラケット２ａの被係合部２２上に位置し、押圧具３の係合部３２とブラケット２ａの被係合部２２が常に係合可能となっていて、係合により相互の移動が規制される。
【００１８】
また、外壁２０の右側（手摺本体１０側）の見込面が垂直ではない場合には、上下何れかの固定部材１ａにおいて（手摺本体１０側に傾斜している場合には下側の固定部材１ａ、手摺本体１０の反対側に傾斜している場合には上側の固定部材１ａ）、図５に示すように、ブラケット２ａの外壁側部２４と外壁２０の間にスペーサ６を挟むことで、上下のブラケット２ａの左右方向位置を揃え、手摺本体１０を縦枠１０３が垂直になるように取り付けられる。スペーサ６は、ブラケット２ａの外壁側部２４と略同じ大きさの矩形平板状のものであり、調整量に応じて適当な枚数を重ねればよい。スペーサ６の、ブラケット２ａの外壁側部２４の挿通孔２１に対応する位置には、同じ大きさの孔を形成してあり、溝部２８に対応する位置には、上下に延びる凸部６１を形成してあり、凸部６１の裏側位置に、上下に延びる凹部６２を形成してある。凸部６１はブラケット２ａの溝部２８に嵌まるものであり、またスペーサ６を複数枚重ねた場合には、凹部６２に凸部６１が嵌まるものである。
【００１９】
次に、右側の固定部材１ｂについて、図６に基づき説明する。右側の固定部材１ｂは、押圧具３と、ブラケット２ｂと、ボルト４と、ナット５を備える。ただし、押圧具３とナット５については、左側の固定部材１ａのものと同じであり、説明を省略する。
【００２０】
ブラケット２ｂは、手摺本体１０に固定する手摺側部２３と、外壁２０に固定する外壁側部２４を有し、手摺側部２３は内外方向に延び、外壁２０の左側（手摺本体１０側）の見込面に対向する垂直向きの板状部であり、外壁側部２４は左右方向に延び、外壁２０の内側の見付面に対向する垂直向きの板状部であり、手摺側部２３の内側端と外壁側部２４の左側端が接続されていて、ブラケット２ｂ全体で略Ｌ字形となっている。手摺側部２３は、左側面（手摺本体１０側面）の外側端部に、上下方向に延びる断面凸形の嵌合部２５を形成してあり、右側面（外壁２０側面）の嵌合部２５の裏側位置に、上下方向に延びる断面凹形の溝状の係止部２６を形成してあって、係止部２６の底面の上下方向中央にボルト孔２７を形成してある。また、外壁側部２４は、右側端部かつ上下方向の中央部に、略四角形で、押圧具３のボルト孔３１より大きく押圧具３より小さい挿通孔２１を有しており、内側面（押圧具３側面）に、上下方向に延び左右方向に多数連続する断面略三角波形状の凹凸からなる被係合部２２を形成してあり、外側面（外壁２０側面）に、上下に延びる断面凹形の溝部２８を形成してある。被係合部２２の断面形状は、押圧具３の係合部３２の断面形状と同じであって、係合して相互の左右方向の移動を規制するものである。そして、ブラケット２ｂの被係合部２２は、押圧具３の係合部３２よりも広く、押圧具３に対してブラケット２ｂが左右方向及び上下方向にずれても、ボルト孔３１が挿通孔２１の内周側に略納まる範囲内であれば、押圧具３の係合部３２の全体がブラケット２ｂの被係合部２２に当接して係合する。また、溝部２８は、左右に２本形成してあり、それぞれ挿通孔２１の左側端部と右側端部に位置している。
【００２１】
ボルト４は、外壁２０に埋め込んであって、先端部が外壁２０の内側の見付面から突出するものである。図６に示すように、外壁２０の手摺本体１０に対向する位置には、既存の手摺の溶接下地金物Ｂやアンカーボルトなどの埋設物が埋め込まれており、そのまま新たなボルトを打ち込むことは難しく、また埋設物を撤去するとその部分が脆くなってしまい、そこに新たなボルトを打ち込んでも十分な強度が得られない。そこでボルト４は、外壁２０の、手摺本体１０に対向する位置からずれた異なる面に設けてある。また、ナット５はこのボルト４に螺合するものである。
【００２２】
そして、このように構成した固定部材１ｂにより、手摺本体１０の右側端部と外壁２０を固定してあり、その構造について詳述する。まず、手摺本体１０側については、左側の固定部材１ａの場合と同じであり、手摺本体１０の右側の縦枠１０３に被嵌合部１３１を形成してあり、ブラケット２ｂの手摺側部２３の嵌合部２５を被嵌合部１３１に嵌合させ、ボルト止めして、ブラケット２ｂの手摺側部２３と手摺本体１０の縦枠１０３を固定してある。
【００２３】
また、外壁２０側について、挿通孔２１にボルト４を通してブラケット２ｂの外壁側部２４を外壁２０の内側の見付面に当接させてあり、ボルト孔３１にボルト４を通して押圧具３をブラケット２ｂの外壁側部２４に当接させてある。この際、押圧具３の係合部３２とブラケット２ｂの被係合部２２が係合している。そして、ナット５をボルト４に締結することで、押圧具３によりブラケット２ｂの外壁側部２４を外壁２０に押さえ付けて固定してある。こうして、位置がずれた手摺本体１０とボルト４に対して、それぞれブラケット２ｂの手摺側部２３と外壁側部２４がボルト止めされて、固定部材１ｂを介して手摺本体１０と外壁２０が固定される。
【００２４】
なお、右側の固定部材１ｂにおいても、ボルト４の位置（すなわち、押圧具３の位置）に対してブラケット２ｂの位置は挿通孔２１の範囲内で自在に動かせる。ただし、動かせる方向は上下方向及び左右方向であり、これにより、手摺本体１０の取付位置を、上下方向及び左右方向に調整することができる。そして、押圧具３の係合部３２よりもブラケット２ｂの被係合部２２の方が広く、ブラケット２ｂが挿通孔２１の範囲内でボルト４（押圧具３）に対してどの方向にずれた場合であっても、押圧具３がブラケット２ｂの被係合部２２上に位置し、押圧具３の係合部３２とブラケット２ｂの被係合部２２が常に係合可能となっていて、係合により相互の移動が規制される。
【００２５】
また、外壁２０の内側の見付面が垂直ではない場合には、上下何れかの固定部材１ｂにおいて（内側に傾斜している場合には下側の固定部材１ｂ、外側に傾斜している場合には上側の固定部材１ｂ）、左側の固定部材１ａの場合と同様に、ブラケット２ｂの外壁側部２４と外壁２０の間にスペーサ６を挟むことで、上下のブラケット２ｂの内外方向位置を揃え、手摺本体１０を縦枠１０３が垂直になるように取り付けられる。
【００２６】
続いて、この改修手摺の施工手順を説明する。まず、既存の手摺を撤去する。この際、アンカーボルトなどの外壁２０から突出した部分は切除するが、外壁２０に埋め込まれた埋設物はそのままである。次に、左右の外壁２０の上部及び下部に、ボルト４を埋め込んで固定する。このボルト４は、既存の手摺の埋設物や元より埋め込まれた鉄筋を回避して設置するものであり、左側の外壁２０においては、右側の見込面の、手摺本体１０に対向する位置から内側にずれた位置に取り付け、右側の外壁２０においては、内側の見付面に取り付ける。次に、上枠１０１、下枠１０２、左右の縦枠１０３及び複数本の縦桟１０４からなる手摺本体１０を組み立てる。次に、手摺本体１０の左側の縦枠１０３の上部及び下部に、固定部材１ａのブラケット２ａをそれぞれ取り付け、手摺本体１０の右側の縦枠１０３の上部及び下部に、固定部材１ｂのブラケット２ｂをそれぞれ取り付ける。次に、左側の上下のブラケット２ａの挿通孔２１に左側の外壁２０の上下のボルト４を通すとともに、右側の上下のブラケット２ｂの挿通孔２１に右側の外壁２０の上下のボルト４を通す。この際、外壁２０が垂直でなければ、必要に応じて、ブラケット２ａ，２ｂと外壁２０の間にスペーサ６を挟む。次に、各ボルト４において、ボルト孔３１にボルト４を通して押圧具３をブラケット２ａ，２ｂに当接させ、さらに各ボルト４にナット５を螺合する。この際、左側のブラケット２ａは、挿通孔２１の範囲内で内外方向及び上下方向に移動可能であり、右側のブラケット２ｂは、挿通孔２１の範囲内で左右方向及び上下方向に移動可能であるから、手摺本体１０の上枠１０１及び下枠１０２が左右方向に平行かつ縦枠１０３が垂直になるように適宜位置調整して、押圧具３によりブラケット２ａ，２ｂを外壁に押さえ付けて固定する。次に、手摺本体１０の下枠１０２とその下側の躯体見込面との間に支持部材７を挿入し、下枠１０２と躯体見込面にそれぞれボルト止めして固定する。以上で、改修手摺の施工が完了する。
【００２７】
このように構成した本発明の改修手摺（改修用建材）によれば、左右何れにおいても、固定部材１ａ，１ｂによって、手摺本体１０を、外壁２０の手摺本体１０に対向する位置からずれた位置に固定するので、改修において既存のアンカーボルトなどが妨げになることはない。すなわち、図１や図６に示すように、外壁２０の手摺本体１０に対向する位置には、既存の手摺の溶接下地金物Ｂやアンカーボルトなどの埋設物が埋め込まれており、そのまま新たなボルトを打ち込むことは難しく、また埋設物を撤去するとその部分が脆くなってしまい、そこに新たなボルトを打ち込んでも十分な強度が得られない。そこで、本発明により、外壁２０の手摺本体１０に対向する位置を回避することで、施工に手間や費用がかからず、かつ十分な強度が得られる。また、外壁２０の手摺本体１０に対向する位置からずれた位置でも、元より埋め込まれた鉄筋が存在する場合があるが、押圧具３の係合部３２とブラケット２ａ，２ｂの被係合部２２が、ブラケット２ａ，２ｂが挿通孔２１の範囲内で押圧具３に対してずれても係合可能で、その範囲内で容易に位置調整ができるので、鉄筋を回避した位置にボルト４を設けることができ、調整量に応じて複数の部材を用意する必要がなく、施工性が良好で費用も抑えられる。そして、この挿通孔２１が略四角形なので、ブラケット２ａ，２ｂ及び押圧具３の大きさの範囲内で、位置調整可能な範囲を最大限大きくすることができる。さらに、手摺本体１０に人が寄り掛かることで、内側から外側に向けた方向の力が作用するが、左側の固定部材１ａにおいては、ともに内外に連続する凹凸からなるブラケット２ａの被係合部２２と押圧具３の係合部３２が係合することで相互の内外方向の移動が規制されているので、外側向きの力に対して手摺本体１０を確実に保持できる。また、右側の固定部材１ｂにおいては、ブラケット２ｂが外壁２０の内側の見付面に固定されているので、外側向きの力に対して手摺本体１０を確実に保持できる。さらに、ブラケット２ａ，２ｂの手摺側部２３の嵌合部２５が手摺本体１０の縦枠１０３の被嵌合部１３１に嵌合しているので、ブラケット２ａ，２ｂと手摺本体１０の固定強度が高い。また、ブラケット２ａ，２ｂの外壁側部２４の外壁２０に当接する面に形成した溝部２８は、押圧具３の係合部３２とブラケット２ａ，２ｂの被係合部２２が当接する部分の僅かな隙間から浸入して挿通孔２１内にたまった雨水を排出するための排水口として機能する。そして、スペーサ６を用いる際には、スペーサ６の凸部６１が嵌合することでスペーサ６の位置決めとして機能するものであり、この場合、外壁２０に当接するスペーサ６の凹部６２が排水口として機能する。
【００２８】
本発明は、上記の実施形態に限定されない。たとえば、左右の固定部材について、両方とも上記実施形態における左側の固定部材（ブラケットが略Ｚ字形）を用いてもよいし、両方とも上記実施形態における右側の固定部材（ブラケットが略Ｌ字形）を用いてもよい。また、手摺本体の構成は、必要強度や意匠性などを考慮して、適宜変更できる。
【００２９】
さらに、本発明の改修用建材は、上記の手摺のほか、種々の用途の建材に適用できるものであり、具体例として、集合住宅のベランダに設置される、隣室との仕切りとなるパーテーションや、物干し竿の受け具などが挙げられる。
【符号の説明】
【００３０】
１ａ，１ｂ  固定部材
２ａ，２ｂ  ブラケット
３  押圧具
４  ボルト
５  ナット
１０  手摺本体（取付材）
２０  外壁（被取付材）
２１  挿通孔
２２  被係合部
３１  ボルト孔
３２  係合部
【図１】
2018155049.tif 000003
【図２】
2018155049.tif 000004
【図３】
2018155049.tif 000005
【図４】
2018155049.tif 000006
【図５】
2018155049.tif 000007
【図６】
2018155049.tif 000008